(57)【要約】【課題】  充電機能を備えた電子機器モジュールにおいて、電磁誘導による充電効率を向上すると共に、電磁誘導の際の電・磁界が他の電気的パーツに与える影響を防止あるいは抑制する。また、電子機器モジュールとこれを納める外枠体との取付け及び電気的な接合を簡単、かつ、確実に行う。【解決手段】電子機器１のモジュール２が備えた二次電池２２と二次コイル２３の配置を平面的に重ならないようにする。モジュール２が備えた基体枠１９に二次電池２２をはめ込む凹部２５とその側部に二次コイル２３の取付台２７を一体に設け、二次電池２２と二次コイル２３の位置決めをする。ベゼル３（外枠体）と電子機器モジュール２を固定する個所に、双方の電気的接点を形成しておき、外枠体と電子機器モジュール２を固定したとき双方が電気的に接続される構造とする。【選択図】          図３
2005124294.tif 000002
【特許請求の範囲】
【請求項１】
一次コイルからの電磁誘導により電流を発生する二次コイルと発生した電流を電力として蓄える二次電池及び回路基板を有しこれらを基体枠に取付けた構成を備え電子機器において、前記二次コイルと前記二次電池とは平面的に重ならない位置に配置したことを特徴とする電子機器モジュール。
【請求項２】
前記の基体枠は、二次電池をはめ込む凹部と二次コイルを取り付ける取付台を有し、さらに、二次電池の下面と二次コイルの下面とがほぼ同一面となる配置にしてあることを特徴とした請求項１に記載の電子機器モジュール。
【請求項３】
取付台は、二次コイルを取付面へ上下方向と水平方に位置決めできる構造となっていることを特徴とした請求項２に記載の電子機器。
【請求項４】
二次コイルはケースに納められ、取付台は下面に下方へ突出した鈎状部と下方へ突出した垂直ピンを備え、二次コイルのケースにおける一辺を鈎状部に係合し、垂直ピンをケースの係合穴へ差し込むことによって二次コイルが上下方向と水平方向に位置決めされることを特徴とした請求項３に記載の電子機器モジュール。
【請求項５】
請求項１から請求項３のいずれか一つに記載の電子機器モジュールとこれを納めた外枠体とからなり、外枠体に電子機器モジュールが必要とする電気的なパーツが配置されており、電子機器モジュールを外枠体へ固定する個所に外枠体の前記電気的パーツと電子機器モジュールとを電気的に接続する双方の接点を設けてあることを特徴とした電子機器。
【請求項６】
回路基板は、張出し部の表面に外枠体との電気的接点を備え、基体枠は前記張出し部の裏面を覆う補強部を有していることを特徴とした請求項５に記載の電子機器。
【請求項７】
外枠体はベルトを備えた時計形のベゼルであり、ベルトにアンテナが配置されアンテナとベゼルに納めた電子機器モジュールが双方の接点を通じて電気的に接続されていることを特徴とした請求項５又は請求項６に記載の電子機器。
【請求項８】
ベゼルは非磁性体の裏蓋を備え、裏蓋の内面にピエゾ効果を利用した平らな圧電ブザーを備え、裏蓋を基体枠に取り付けたとき、平面的に圧電ブザーが二次電池と重なる位置に配置してあることを特徴とした請求項５から請求項７のいずれか１項に記載の電子機器。
【発明の詳細な説明】
【技術分野】
【０００１】
この発明は、電子機器モジュールとこれを外枠体に組み付けた電子機器に関する。特に、電子機器モジュールは、二次電池と充電用の二次コイルを有する充電機能を備えたものであり、また、外枠体に電子機器モジュールが必要とする電気的なパーツが配置される構造の電子機器に関する。
【背景技術】
【０００２】
電磁的な誘導結合によって充電を行う電子機器モジュールでは、二次電池と充電用の二次コイルを必要とする。電磁的な誘導結合の場合、電源側の一次コイルと受電側の二次コイルの平面位置関係と垂直位置関係（間隔）が重要である。平面的な位置関係がずれたり、間隔が大きすぎると電磁誘導の効率が低下する。また、間隔が小さいとコイルが発熱する。さらに、一次コイルと二次コイルの間やこれに近接して電磁的な誘導体や磁性体が存在しても電磁誘導の効率が低下する。
【０００３】
電子機器モジュールは、これを外枠体に収納して使用するものであり、その際、外枠体に電子機器モジュールが必要とする電気的なパーツが分散して配置されることがあるが、これらパーツと電子機器モジュールとの電気的な接続は、電子機器モジュールを外枠体のパーツへ接続するときに簡単かつ確実に行えることが必要である。
特許文献１の電磁誘導充電式携帯時計は、電磁的な誘導結合による充電構造を開示しており、一次コイルと二次コイルの位置決めを正確にする必要があること、及び誘導結合時の磁束が時計用ムーブメントに影響する事態に対してシールド板を配置することで解決する構造を開示している。
特許文献２は、腕時計型携帯電子装置を開示し、制御部６や表示器７を備えた本体部２とベルト４を介して反対側に位置したバッテリ部３を、ベルト４の内部を通るフレキシブルケーブル１０で接続している。
【０００４】
【特許文献１】特開２００２−５５１７６公報
【特許文献２】特開２００３−２４４２９４公報
【発明の開示】
【発明が解決しようとする課題】
【０００５】
特許文献１の携帯時計は時計用ムーブメントと二次コイルを有する程度であり、比較的構造が簡単である。二次コイルは充電用であるが、裏蓋の全域に大きく配置されており、また、二次電池はムーブメントの中に装着されていると考えられる。すなわち、特許文献１の携帯時計は、二次コイルと二次電池を備えた充電機能を備えた電子機器モジュールのひとつであるが、モジュール内部の構造、例えば、二次コイルと二次電池の配置については何も記載がない。
特許文献２の電子装置は、本体部とベルトを介したバッテリーが電気的に結合されている。本体部は表示器７や制御部６などをまとめた電子機器モジュールを筐体５に納めた構造と考えられるが、電子機器モジュールとバッテリーからのフレキシブルケーブル１０との結合がどのように行われているかは明確でなく、この接続を簡単、確実に行う技術的思想は見出ない。
【０００６】
また、特許文献２の電子装置は充電機能を備えておらず、充電コイルを用いた電磁誘導結合方式を採用した場合に電・磁界が電気的パーツに与えるさまざまな影響に付いて考慮した技術的思想を見出せない。各パーツを携帯できる電子機器として許容される程度の小さな容積にまとめるとなると、各パーツは近接して相互に影響しあうようになり、このため、二次電池とこれに充電するための二次コイルの配置を考慮しなければならない。
さらに、このような電子装置が、電子メールの交換やインターネットの利用、メモリーを備えデータの処理などが可能な汎用の機器になるとブザーなども必要となり、これら電気的パーツに十分な電力を供給するために容量の大きな二次電池を必要とする。
【０００７】
この発明は、電子機器モジュールを電磁誘導結合による充電機能を備えたものとし、充電が効率よくおこなわれること、機器内部の狭小な空間においても、電・磁界が電気的パーツに与える影響を防止、ないし、緩和できるものとすること、電子機器モジュールの組み立て及び電子機器モジュールを外枠体へ組み込み、外枠体側の電子機器パーツと電気的に結合するための構成および操作を簡単、かつ、確実にすることを課題とする。
【課題を解決するための手段】
【０００８】
二次コイルと二次電池を備えた電子機器モジュールとする。二次コイルは、電源側である一次コイルからの電磁誘導により充電電流を発生する。二次電池は、発生した電流を電力として蓄える。２次コイルと２次電池とは平面的に重ならない位置に配置する。平面的に重ならないことにより、一次コイルの磁束が二次電池に邪魔されることなく二次コイルを貫通できるので充電効率の低下がなく、二次電池は一次コイルの磁束を受けて発熱したりすることがない。また、二次コイルは二次電池の位置に関係なく、電源側の一次コイルと適切な位置に維持しやすい。
【０００９】
前記の位置関係を維持するために、二次コイルと二次電池を一体成形した基体枠に取り付けることがある。基体枠は電池はめ込み凹部と二次コイルを取り付ける取付台を有し、二次電池の下面と二次コイルの下面とがほぼ同一面となる配置にする。基体枠を用いることにより、二次コイルと二次電池の位置関係が正確に定まり、また、維持されるので、組み立て易い。
前記取付台には、二次コイルを上下方向と水平方に位置決めできる構造を設ける。例えば、二次コイルをケースに納め、取付台の下面に下方へ突出した鈎状部と下方へ突出した垂直ピンを設ける。そして、ケースの一辺を鈎状部に係合し、垂直ピンをケースの係合穴へ差し込んで、二次コイルを取付台に対して上下方向と水平方向に位置決めする。
基体枠に二次コイルが簡単に、かつ、正確な位置に取付けられる。基体枠に取付けた二次電池の下面と二次コイルの下面とがほぼ同じ平面にあることが好ましい。
【００１０】
以上の電子機器モジュールは、これを外枠体に納めて電子機器とする。外枠体には電子機器モジュールに納まりきらない電気的パーツや、例えばアンテナのように、電子機器モジュールがその機能を完遂する上で必要とする電気的なパーツが配置される。そして、これらを電気的に接続するために、電子機器モジュールを外枠体へ固定する個所に双方の接点を設け、電気的パーツを外枠体に取付けると、自動的に接続される構成とする。
電子機器モジュールは回路基板を備えるが、この基板に張出し部を設け、その表面に外枠体との電気的接点を形成する。そして、回路基板が組み付けられる基体枠は、回路基板の前記張出し部の裏面を覆う補強部を有することがある。回路基板はこの補強部の上から外枠体にねじ止めされるのであるが、補強部によって割れやすい回路基板の破損が防止される。
【００１１】
外枠体は時計形のベゼルとし、これにベルトを設け、ベルトに帯状の導電板を埋め込んでアンテナとすることがある。アンテナは電子機器モジュールが必要とする電気的パーツの一つである。アンテナを目立たずに配置でき、かつ、電子機器モジュールとの接続も簡単である。
ベゼルは非磁性体の裏蓋を備え、裏蓋の内面にピエゾ効果を利用した平らな圧電ブザーを備えることがある。裏蓋を基体枠に取り付けたとき、圧電ブザーと前記の基体枠に装着した二次コイルと二次電池の下面との間に間隔が存在するように配置し、かつ、平面的に圧電ブザーが二次電池の下方で重なる位置とする。圧電ブザーが二次コイルに対する電磁誘導を妨害しない。
【発明の効果】
【００１２】
充電時に一次コイルの磁束が二次電池に影響を与えず、また、二次電池が二次コイルへの磁束を妨害してしまうことがなく、充電効率がよい。さらに、充電に関し、電源側の一次コイルと機器側の二次コイルとの位置関係が適切で安定しており、効率の良い充電を行うことができる。
電子機器モジュールを外枠体へ装着し、固定すると、外枠体に設けた電気的パーツと電子機器モジュールは自動的に、かつ、確実に接続されるので、電子機器モジュールの取付けが簡単である。
【発明を実施するための最良の形態】
【００１３】
電子機器モジュールの基体枠に二次電池を収納する凹部と二次コイルを取付ける取付台を一体に設け、凹部に納めた二次電池と取付台に取付けた二次コイルを平面的に重ならない配置とし、かつ、二次コイルの位置をクレイドル(一次コイルを備えた充電器)の一次コイルと平面的及び上下方向で正確に一致する配置とする。また、取付台の厚さ（上下方向寸法）によって、一次コイルとの上下方向寸法が正確に決定されるようにする。
電子機器モジュールは側方に張出した支持補強部を回路基板上方として外枠体の段部下面に当接して納め、固定する。この個所に電子機器モジュール側の接点と外枠体側の電気的パーツの接点を配置しておき、電子機器モジュールを外枠体ヘ固定すると同時に電子機器モジュールと外枠体側の電気的パーツが接続されるようにする。電子機器モジュール側の接点は、電子機器モジュールが備えた回路基板に設けた張出し部へ形成する。
【実施例１】
【００１４】
図１は、時計型の電子機器１であって、電子メールやインターネット情報を入手できると共に、データの記憶と編集などが可能が情報端末である。電子機器１は、表示部を備えた電子機器モジュール２（図３  以下、モジュール）と、これを腕に取り付けるベゼル３とバンド４及び裏蓋５とからなる。ベゼル３は電子機器モジュールの外枠体である。バンド４は末端部を省略してある。この実施例ではベゼル３とバンド４を合成樹脂の一体成形品としている。ベゼル３は容器形で、モジュール２を取り付ける段部６と裏蓋５をはめ込み固定する段部７とを形成してある。
【００１５】
電子機器１は、モジュール２の内部にリチウムバッテリー（二次電池）２２と小さな二次コイル(いずれも、後述)を備え、図２のように、クレイドル８(破線)に載置することによって、クレイドル８内部の一次コイル９と前記の二次コイルが電磁結合し、誘導起電力により、リチウムバッテリー２２を充電する。リチウムバッテリー２２は電子機器１全体の電源である。
【００１６】
バンド４の内部には薄い導電帯が埋め込まれてアンテナ１０となっている。アンテナ１０の両方の端部１１はベゼル３の内部に露出して前記の段部６に位置している。アンテナ端部１１は、モジュール２を取り付けたとき、モジュール２側の露出したアンテナ端子(回路基板における面パターン)と接合するようになっている。また、アンテナ１０の他側の両端はバンド４を腕に巻いて両端を結合したときに接合され、アンテナ１０としてのループが完成する。
【００１７】
ベゼル３における符号１２(１２ａ，１２ｂ，１２ｃ)はモジュール２を操作するためのボタンである。図２の背面側にも１２ｄ，１２ｅの２個が突出している(図３)。図３において、ベゼル３の、ボタン１２ｄ，１２ｅが表示された壁と対向した壁にはボタン１２のロッドが貫通する貫通孔１３（１３ａ〜１３ｅ）のうちの３個がみえている。
【００１８】
モジュール２は、図４のように、上面側から固定用フレーム１４、パネル部１５、シールド部材１６、中間枠１７、回路基板１８および基体枠１９を備える。符号２０は線型導光部材、符号２１は反射部材である。また、符号２２はリチウムバッテリー、符号２３は、二次コイルであり、ケース２３ａに納められ２本の端子２４が出ている。
【００１９】
基体枠１９(図４、下面側  図５)は、強度が高く成形精度が高いＡＢＳ樹脂などの成形品で、中央部にリチウムバッテリー２２がはまり込むバッテリー凹部２５を有する。バッテリー２２は基体枠１９の下面側からはめ込み、その厚み分がほとんど凹部２５に納まる。また、凹部２５は放熱と軽量化のため、及び後述のブザー用共鳴空間として利用するために底面を切り抜いてある。
【００２０】
基体枠１９の左右両側には支持台部２６（２６ａ,２６ｂ）が張り出し、手前の辺(前辺)には、二次コイル２３の取付台２７が張り出している。すなわち、凹部２５のリチウムバッテリー２２と取付け台２７の二次コイル２３は平面的に重ならない配置となっている。二次コイル２３はケース２３ａの中に納められ、取付台２７の下面側に装着される。取付台７の下面側には、位置決め用の鈎形突起２８と垂直ピン２９（２９ａ,２９ｂ）が形成されている。すなわち、二次コイル２３はそのケースの一端部を鈎形突起２８に係合させて上下方向の位置を決めると共に垂直ピン２９をケース２３ａに設けた穴ヘ嵌合させることにより、垂直方向、水平方向共に正確に位置決めされる。
【００２１】
二次コイル２３はクレイドル８中の一次コイル９との適切な電磁結合のために上下左右方向の正確な位置決めが必要である。その意味で、基体枠１９における取付台２７の位置と厚み寸法は重要である。符号３０は、収容したリチウムバッテリー２２のリード線引出し孔である。
基体枠１９の上面にはさらに回路基板１８を位置決めするための位置決め突起３１と垂直ピン３２が突出している。なお、符号３３(図５)は切欠であり、回路基板１８の縁部に設けた接点面(回路基板上に形成されたパターン)を露出するために形成されている。
【００２２】
回路基板１８は、基板に形成されたプリント回路にＣＰＵやメモリー、入出力を司るパーツが配置固定されている。回路基板１８は平面形状として、左右に前記基体枠１９の支持台部２６に適合する形態と大きさのフランジ状部３４（３４ａ,３４ｂ）を張出して有するとともに上下の辺の縁部に間隔をとって、前記の接点面３５（３５ａ〜３５ｅ）が形成されている。回路基板１８における接地用面パターン部はメッシュに形成されている。
そして、前記のフランジ状部３４には、メッシュ状の回路パターン３６(３６ａ,３６ｂ)が面状に広く形成されている。
符号３７は接点板であり、別部材である。接点板３７は、前記の接点面のうち、手前側の縁に形成された３個の接点面３５ａ,３５ｂ,３５ｃに対向した接点片３８(３８ａ〜３８ｃ)を形成してある
【００２３】
中間枠１７は回路基板１８とパネル部材１５との間に間隔を形成して、回路基板上に突出しているパーツを保護するためのものである。前記の接点板３７は回路基板１８と中間枠１７との間に挟まれて取り付けられる。突起３９は中間枠１７に係合して抜止めとするためのものである。
中間枠１７の上方には、シールド部材１６、パネル部材１５を重ね、さらにその上から固定用フレーム１４を被せて、その左右の側辺に設けたばね性のフック４０を、前記基体枠１９の四隅みに小さく突出させて設けた係止突起４１（４１ａ〜４１ｄ）に係合して中間枠１７、回路基板１８ともども圧縮気味に固定する。
【００２４】
前記の中間枠１７(図７)は、左右の側面に固定用フレーム１４の前記フック４０ａ〜４０ｄを基体枠１９の係止突起４１ａ〜４１ｄヘ案内する斜面を有するガイド突起４２ａ〜４２ｄを備え、また、上面にはシールド部材１６の位置決めを行う右辺の突出ガイド４３(４３ａ,４３ｂ)と係合孔４４(４４ａ,４４ｂ)を備えている。符号４５はスペーサ突起であり、中間枠１７の上面４隅に配置されている。
【００２５】
シールド部材１６は、パネル部材１５を構成する液晶パネル(後述)の下面側に配置される液晶駆動制御部(ＦＰＣ上に形成されている)を回路基板１８側からの電磁的なノイズから保護するためのものであり、薄いステンレス製のフレーム状の部材である。このため、やむを得ず打ち抜く部分以外はなるべく残した形態となっており、電気又は磁気の少なくとも一方を遮蔽する部材である。
【００２６】
シールド部材１６は右辺に、垂直に立ち上げてさらに左方へ屈曲した断面コ字形で右辺の全長にわたる保持部４６と、後辺に下方へ屈曲してその左右両端部に形成した２個の接点片４７(４７ａ,４７ｂ)と、左辺に中間枠１７の前記係合孔４４に差し込まれる２個の突片４８(４８ａ,４８ｂ)を備え、また、前辺に係合突片４９を有する。接点片４７と係合突片４９はばね性で中間枠１７ヘ上方から押し込むと、中間枠１７の前後両辺を挟みこんで安定する。
【００２７】
保持部４６は、断面コ字形の上辺の後端に下方へ屈曲したストッパー５０を有し、前端にＬＥＤ固定片５１を突出して形成してある。そして、保持部４６には、図４に示した線型導光部材２０と反射部材２１が装着される。線型導光部材２０は透明なガラス様で、長方形の固体であり、これを断面コ字形に折り曲げた反射部材２１の間に挟み込みその状態で、前記の保持部４６へ前端から差込み、ストッパー５０に当接させて位置決めする。なお、図８において、符号５２は舌片で、シールド部材の接地をとるために下方へ屈曲されたばね性の部材で、モジュールの組み立てが完成したとき、下端が回路基板１８の接地用面パターン部に接触する。この設置用面パターンもメッシュに形成されている。
【００２８】
パネル部材１５は、液晶パネル５３（表示パネル）とその駆動制御部５４を装備したＦＰＣ５５とからなる。ＦＰＣ５５と液晶パネル５２とのコネクタ部は左辺にあって、シールド部材１６において保持部４６が右辺にあるのと電子機器としての形態的なバランスをとるようになっている。すなわち、モジュール全体の形態が正方形に近くなるようにして電子機器１のデザインを創作しやすくしている。
【００２９】
符号５６は、回路基板１８へのコネクタ部分であり、符号５７はＬＥＤ（点光源の一つ）であって、ＦＰＣ５５の支片５８の先端に取り付けてある。ＦＰＣ５５は、折り曲げたとき液晶パネルの裏面へ納まる形態であり、また、このときＬＥＤ５７は、支片５８をツイストすることにより、液晶パネル５３の右辺前端に位置し、すなわち、シールド部材１６の前端に位置し、発光面を後方に向ける。
【００３０】
以上の部材は、基体枠１９を基準として回路基板１８、中間枠１７、シールド部材１６及びパネル部材１５を順次、位置決めをしながら積み重ね、最後に固定用フレーム１４を被せて基体枠１９との間でこれらの部材を緊縛してモジュール２を完成する。その際、シールド部材１６の保持部４６には予め、線型導光部材２０と反射部材２１を組み付けておき、ついで、パネル部材１５を、ＬＥＤ５７を前記の位置としてシールド部材１６に重ね、ＬＥＤ５７を保持部４６の前端に配置してこれをＬＥＤ固定片５１をかしめて固定しておく。液晶パネル５３の右辺の端面は保持部４６に納まっている線型導光部材２０の左端面と接合し、ＬＥＤ５７から誘導され、また、反射部材２１から反射されてくる光（漏れ光）を受ける。
【００３１】
完成したモジュール２は、上方から見た平面視が図１０の様であり、下面側から見た平面視が図１１の様である。すなわち、モジュール２は主要部が正方形で、その左右に基体枠１９の支持台部２６ａ,２６ｂが張り出し、上方から見ると、これら支持台部２６,ａ，２６ｂの上面にメッシュ状のパターン３６ａ，３６ｂが見えている。下面側から見ると、リチウムバッテリー２２と二次コイル２３が見えている。なお、符号５９はコネクターであり、回路基板１８とリチウムバッテリー２２を結合する。
【００３２】
完成したモジュール２は、図３のように、バンド４と一体のベゼル３にはめ込み、補強部材６０(６０ａ，６０ｂ)を基体枠１９の支持台部２６にあてがって、ねじ止めにより固定する。このとき、支持台部２６上面側の回路基板１８におけるフランジ状部３４のメッシュ状のパターン３６ａ，３６ｂと、バンド４側のアンテナ端部１１が接合し、アンテナ１０が回路基板１８の回路に結合される。ついで、裏蓋５を被せて、ねじ止めする。裏蓋５は、ベゼル３と同じ合成樹脂製である。
【００３３】
なお、裏蓋５の内面側にはピエゾセラミックなどの平らな圧電ブザー６１が配置されている(図１２)。圧電ブザー６１はリチウムバッテリー２２の下方に位置し、二次コイル２３との重なりをできるだけ避けている。逆にいえば、二次コイル２３を取付ける取付台２７は、基体枠１９において圧電ブザー６１と平面的に重なる位置を避けた個所に配置されている。
裏蓋５の内面とリチウムバッテリー２２との間の空間も圧電ブザー６１の共鳴空間となる。
【００３４】
最後に、ボタン１２のロッドが貫通孔１３から差し込まれ、ロッドの先端で接点片３８（図６）や接点片４７（図８）を押して、回路基板１８の接点面３５に接触可能とする。なお、これらの接点片３８，４７はばね性でボタン１２を押す力を緩めると、ロッドを押し戻し、ボタン１２をもとに戻す。
【００３５】
以上のように、リチウムバッテリー（二次電池）２２と二次コイル２３は、平面的に重ならない位置に配置されているから、これらの相互干渉はなく、電磁誘導による結合の能率が良い。また、基体枠１９を利用することによって、リチウムバッテリー２２の位置と二次コイル２３の位置を決めやすく、かつ、その位置を維持しやすい。しかも、鈎形突起２８と垂直ピン２９によって、取付台２７に対する二次コイル２３の位置決めと取付けが簡単である。二次コイル２３と一次コイルの位置関係が正確に規定されるため、電磁誘導による結合状態が安定する。
【００３６】
基体枠１９の中央部には比較的大きな凹部２５を形成できるので、容量の大きなリチウムバッテリー２２を採用することができる。
電子機器モジュール２は、ベゼル３の段部６に載置して基体枠１９の支持台部２６からビス止めするだけでベゼル３(外枠体)に取付けることができ、かつ、外枠体側の電気的パーツであるアンテナ端部１１と確実に接続でき、取付けが簡単である。
電子機器モジュール２をベゼル３へ固定するとき、回路基板１８のフランジ状部３４は、基体枠１９の支持台部２６を介して固定されるので、破損されることが少なく、安全に固定することができる。
【図面の簡単な説明】
【００３７】
【図１】全体の概略を示す斜視図
【図２】クレイドルに置いた状態を示す正面図
【図３】分解して示す斜視図（下側から見ている）
【図４】モジュール２を分解して示す斜視図
【図５】基体枠の斜視図(下側からみている)
【図６】接点板の斜視図
【図７】中間枠の斜視図
【図８】シールド部材の斜視図
【図９】液晶パネルの斜視図
【図１０】モジュールの平面図（上面）
【図１１】モジュールの平面図（下面）
【図１２】裏蓋の内面を示した斜視図
【符号の説明】
【００３８】
１  電子機器
２  モジュール
３  ベゼル
４  バンド
５  裏蓋
６  段部（モジュール用）
７  段部（裏蓋用）
８  クレイドル
９  一次コイル
１０  アンテナ
１１  アンテナ端部
１２  ボタン（１２ａ〜１２ｅ）
１３  貫通孔
１４  固定用フレーム
１５  パネル部材
１６  シールド部材
１７  中間枠
１８  回路基板
１９  基体枠
２０  線型導光部材
２１  反射部材
２２  二次電池（リチウムバッテリー）
２３  二次コイル
２３ａ  ケース
２３ｂ  係合穴
２４  端子
２５  バッテリー凹部
２６  支持台部
２７  取付台
２８  鈎形突起
２９  垂直ピン（取付台）
３０  リード線引出し孔
３１  位置決め突起
３２  垂直ピン（基体枠）
３３  切欠
３４  フランジ状部
３５  接点面
３６  メッシュ状のパターン
３７  接点板
３８  接点片（３８ａ〜３８ｃ）
３９  突起
４０  フック
４１  係止突起
４２  ガイド突起
４３  突出ガイド
４４  係合孔
４５  スペーサ突起
４６  保持部
４７  接点片
４８  突片
４９  係合突片
５０  ストッパー
５１  ＬＥＤ固定片
５２  接地用の舌片
５３  液晶パネル
５４  駆動制御部
５５  ＦＰＣ
５６  コネクタ部分
５７  ＬＥＤ
５８  支片
５９  コネクター
６０  補強部材
６１  ブザー
【図１】
2005124294.tif 000003
【図２】
2005124294.tif 000004
【図３】
2005124294.tif 000005
【図４】
2005124294.tif 000006
【図５】
2005124294.tif 000007
【図６】
2005124294.tif 000008
【図７】
2005124294.tif 000009
【図８】
2005124294.tif 000010
【図９】
2005124294.tif 000011
【図１０】
2005124294.tif 000012
【図１１】
2005124294.tif 000013
【図１２】
2005124294.tif 000014